(57)【特許請求の範囲】
【請求項１】
情報の送受信を行う通信部を収容する通信装置本体と、
前記通信部と電気的に接続されて、通話に使用される送受話器と、
前記通信装置本体の幅方向における一方の側壁を構成する第１サイドカバーと、
前記第１サイドカバーの上方に設けられ、前記第１サイドカバーより剛性の高い上部カバーと、
前記第１サイドカバーに取り付けられ、前記送受話器を上面側に保持する保持部とを備えた通信装置であって、
前記保持部の下面から上方に向かって作用する荷重を前記上部カバーに伝達する荷重伝達部を備えていることを特徴とする通信装置。
【請求項２】
前記保持部は、前記第１サイドカバーと結合される結合部と、前記上部カバーに当接する伝達部とを有し、
前記第１サイドカバーは、締結手段を用いて前記結合部と結合される被結合部を有し、
前記上部カバーは、前記伝達部と当接する被伝達部を有し、
前記荷重伝達部は、前記伝達部と前記被伝達部とにより構成されている請求項１記載の通信装置。
【請求項３】
前記伝達部は、前記結合部に対して前記幅方向の外側に位置している請求項２記載の通信装置。
【請求項４】
前記伝達部及び前記被伝達部の少なくとも一方は、前記伝達部及び前記被伝達部の他方に向けて上下方向に延在するリブとされ、
前記第１サイドカバーには、前記リブを挿通させる貫通孔が形成されている請求項３記載の通信装置。
【請求項５】
前記結合部は、前記第１サイドカバーに対する前記保持部の位置決めを行う位置決め部と、前記締結手段と締結される被締結部とを有し、
前記位置決め部と前記被締結部とは、前記第１サイドカバーの側壁面に沿って前記保持部の長手方向に延びる直線上に設けられている請求項２乃至４のいずれか１項記載の通信装置。
【請求項６】
前記上部カバーの上に設けられ、原稿の画像を読み取る読取部を収容する読取ユニットを備え、
前記読取ユニットは、前記上部カバーに当接する当接位置と、前記上部カバーに対して上方に離間する離間位置とに変位可能とされ、
前記上部カバーの上面には、前記当接位置にある前記読取ユニットの下面に当接して、前記荷重伝達部により前記上部カバーに伝達される前記荷重を前記読取ユニットに伝達する突出部が形成されている請求項１乃至５のいずれか１項記載の通信装置。
【請求項７】
前記保持部の下面には、滑り止めが形成されている請求項１乃至６のいずれか１項記載の通信装置。
【請求項８】
前記第１サイドカバーと対向し、前記通信装置本体の前記幅方向における他方の側壁を構成する第２サイドカバーを備え、
前記第２サイドカバーには、前記保持部の下面と略等しい高さとなる手掛け部が形成されている請求項１乃至７のいずれか１項記載の通信装置。
【請求項９】
前記第１サイドカバーには、前記保持部の下面に当接し、前記保持部の上面から下方に向かって作用する荷重を支持する受け部が形成されている請求項１乃至８のいずれか１項記載の通信装置。
【発明の詳細な説明】
【技術分野】
【０００１】
本発明は通信装置に関するものである。
【背景技術】
【０００２】
特許文献１に従来の通信装置の例が開示されている。この通信装置は、情報の送受信を行う通信部を収容する通信装置本体と、通信部と電気的に接続されて、通話に使用される送受話器と、通信装置本体の幅方向における一方の側壁を構成するサイドカバーと、サイドカバーに取り付けられ、送受話器を上面側に保持する保持部とを備えている。
【０００３】
保持部の下端縁には、係止部が形成されている。サイドカバーにおける保持部が装着される部位には、リブ状の係合部が形成されている。
【０００４】
保持部は、係止部と係合部とが係合されることにより、サイドカバーに対して位置決めされ、その状態でネジ止めされることにより、サイドカバーに固定されるようになっている。
【先行技術文献】
【特許文献】
【０００５】
【特許文献１】実開平４−２３３５０号公報
【発明の概要】
【発明が解決しようとする課題】
【０００６】
しかし、上記従来の通信装置では、以下の通り、送受話器を保持する保持部の取り付け構造に関し、耐久性の向上が難しいという問題がある。
【０００７】
すなわち、ユーザが通信装置を持ち上げようとして保持部の下面に手を掛けてしまうと、保持部の下面から上方に向かって荷重が作用する。そうすると、保持部に作用する上向きの荷重がサイドカバーに伝達されて、サイドカバーと保持部との取り付け箇所が過度に変形し易くなる。具体的には、上向きの荷重により、保持部がネジ止めされた箇所を中心に上方に回転するように変位する。そして、保持部の上端縁がサイドカバーを局所的に押圧して撓ませる。その結果、この通信装置は、サイドカバー又は保持部が破損するおそれがある。
【０００８】
本発明は、上記従来の実情に鑑みてなされたものであって、送受話器を保持する保持部の取り付け構造に関し、耐久性の向上を実現できる通信装置を提供することを目的とする。
【課題を解決するための手段】
【０００９】
本発明の通信装置は、情報の送受信を行う通信部を収容する通信装置本体と、
前記通信部と電気的に接続されて、通話に使用される送受話器と、
前記通信装置本体の幅方向における一方の側壁を構成する第１サイドカバーと、
前記第１サイドカバーの上方に設けられ、前記第１サイドカバーより剛性の高い上部カバーと、
前記第１サイドカバーに取り付けられ、前記送受話器を上面側に保持する保持部とを備えた通信装置であって、
前記保持部の下面から上方に向かって作用する荷重を前記上部カバーに伝達する荷重伝達部を備えていることを特徴とする（請求項１）。
【００１０】
本発明の通信装置を持ちあげようとする際、ユーザが保持部の下面に手を掛けてしまうと、保持部の下面から上方に向かって荷重が作用する。ここで、本発明の通信装置は荷重伝達部を備えているので、保持部に作用する上向きの荷重は、荷重伝達部により、上部カバーに伝達される一方、第１サイドカバーに伝達され難くなる。そして、第１サイドカバーより剛性の高い上部カバーが伝達された荷重を確実に支持するので、上向きの荷重が作用するのに伴って保持部が第１サイドカバーと保持部との取り付け箇所を中心として上方に回転するように変位することを抑制できる。このため、第１サイドカバーと保持部との取り付け箇所が変形し難くなり、その結果、第１サイドカバー又は保持部の破損を防止できる。
【００１１】
したがって、本発明の通信装置は、送受話器を保持する保持部の取り付け構造に関し、耐久性の向上を実現できる。また、保持部の下面を手掛け部として安全に使用できるので、ユーザが通信装置の移動作業を行い易くなる。
【００１２】
上記の場合において、保持部は、第１サイドカバーと結合される結合部と、上部カバーに当接する伝達部とを有していることが望ましい。第１サイドカバーは、締結手段を用いて結合部と結合される被結合部を有していることが望ましい。上部カバーは、伝達部と当接する被伝達部を有していることが望ましい。そして、荷重伝達部は、伝達部と被伝達部とにより構成されていることが望ましい（請求項２）。
【００１３】
この構成によれば、保持部に作用する上向きの荷重は、荷重伝達部を構成する伝達部と被伝達部とにより、上部カバーに伝達される一方、結合部及び被結合部に伝達され難くなる。そして、第１サイドカバーより剛性の高い上部カバーが伝達された荷重を確実に支持するので、上向きの荷重が作用するのに伴って保持部が結合部及び被結合部を中心として上方に回転するように変位することを抑制できる。このため、結合部及び被結合部が変形し難くなり、第１サイドカバー又は保持部の破損を確実に防止できる。その結果、この通信装置は、耐久性の向上を確実に実現できる。
【００１４】
伝達部は、結合部に対して幅方向の外側に位置していることが望ましい（請求項３）。この構成によれば、てこの力点に相当する保持部の下面と、てこの支点に相当する結合部と、てこの作用点に相当する伝達部とが好適な相対位置関係になり易い。このため、保持部に作用する上向きの荷重が上部カバーに確実に伝達される一方、結合部及び被結合部に一層伝達され難くなる。その結果、この通信装置は、耐久性の向上を一層確実に実現できる。
【００１５】
伝達部及び被伝達部の少なくとも一方は、伝達部及び被伝達部の他方に向けて上下方向に延在するリブとされ、第１サイドカバーには、リブを挿通させる貫通孔が形成されていることが望ましい（請求項４）。この構成によれば、伝達部及び被伝達部の少なくとも一方がリブとされて、上下方向に延在し、第１サイドカバーの貫通孔を介して、伝達部及び被伝達部の他方に当接する。このため、保持部に作用する上向きの荷重は、上部カバーに確実に伝達される一方、第１サイドカバーに一層伝達され難くなる。
【００１６】
結合部は、第１サイドカバーに対する保持部の位置決めを行う位置決め部と、締結手段と締結される被締結部とを有していることが望ましい。そして、位置決め部と被締結部とは、第１サイドカバーの側壁面に沿って保持部の長手方向に延びる直線上に設けられていることが望ましい（請求項５）。
【００１７】
仮に、第１サイドカバーの側壁面に沿って保持部の長手方向に延びる直線上に位置決め部と被締結部とが設けられていない場合、保持部の下面に手を掛けて持ち上げる際に、結合部と被結合部との間でこすれやガタツキが生じ易く、その結果、異音が発生するおそれがある。この点、位置決め部と被締結部との相対位置関係を上記構成とすることにより、結合部と被結合部との間でこすれやガタツキが生じ難くなり、その結果、異音が発生し難くなる。
【００１８】
本発明の通信装置は、上部カバーの上に設けられ、原稿の画像を読み取る読取部を収容する読取ユニットを備えていることが望ましい。そして、読取ユニットは、上部カバーに当接する当接位置と、上部カバーに対して上方に離間する離間位置とに変位可能とされていることが望ましい。さらに、上部カバーの上面には、当接位置にある読取ユニットの下面に当接して、荷重伝達部により上部カバーに伝達される荷重を読取ユニットに伝達する突出部が形成されていることが望ましい（請求項６）。
【００１９】
通信装置が読取ユニットを備える場合、装置全体の重量が増加する。このため、通信装置を持ち上げようとする際、ユーザが保持部の下面に手を掛けてしまうと、保持部の下面から上方に向かって大きな荷重が作用する。しかしながら、この構成によれば、保持部に作用する上向きの大きな荷重は、荷重伝達部により、上部カバーに伝達され、さらに、突出部を介して、読取ユニットに伝達される。その一方、第１サイドカバーに伝達され難くなる。そして、読取ユニットが伝達された荷重を上部カバーとともに確実に支持するので、上向きの荷重が作用するのに伴って保持部が第１サイドカバーと保持部との取り付け箇所を中心として上方に回転するように変位することを確実に抑制できる。このため、読取ユニットにより装置全体の重量が増加した場合でも、第１サイドカバー又は保持部の破損を防止でき、その結果、装置全体としての耐久性の向上を確実に実現できる。
【００２０】
本発明の通信装置において、保持部の下面には、滑り止めが形成されていることが望ましい（請求項７）。この構成によれば、保持部の下面を手掛け部として利用することができ、その際、滑り止めによりユーザの手が滑ることを防止できる。
【００２１】
本発明の通信装置は、第１サイドカバーと対向し、通信装置本体の幅方向における他方の側壁を構成する第２サイドカバーを備えていることが望ましい。そして、第２サイドカバーには、保持部の下面と略等しい高さとなる手掛け部が形成されていることが望ましい（請求項８）。この構成によれば、ユーザが両手で装置を持ち上げる際、第１サイドカバー側の手掛け部となる保持部の下面と、第２サイドカバー側の手掛け部とが略等しい高さにあることで、作業が行い易い。また、第１サイドカバーに、保持部の下面とは別に手掛け部を形成する必要がなくなるので、保持部を設ける位置の自由度が増す。
【００２２】
本発明の通信装置において、第１サイドカバーには、保持部の下面に当接し、保持部の上面から下方に向かって作用する荷重を支持する受け部が形成されていることが望ましい（請求項９）。例えば、ユーザが送受話器を保持部に置く場合等において、誤って保持部を下方に押してしまうと、保持部の上面から下方に向かって荷重が作用する。この場合、下向きの荷重が受け部によって支持されるので、保持部が第１サイドカバーと保持部との取り付け箇所を中心として下方に回転するように変位することを抑制できる。このため、第１サイドカバーと保持部との取り付け箇所が変形し難くなり、第１サイドカバー又は保持部の破損を防止できる。
【図面の簡単な説明】
【００２３】
【図１】実施例の通信装置の斜視図である。
【図２】実施例の通信装置の部分斜視図である。
【図３】実施例の通信装置の部分斜視図である。
【図４】実施例の通信装置の模式図である。
【図５】実施例の通信装置に係り、（ａ）は、当接位置にある読取ユニットを示す部分側面図であり、（ｂ）は、離間位置にある読取ユニットを示す部分側面図であり、（ｃ）は、仮に遮蔽部を無くした場合において離間位置にある読取ユニットを示す部分側面図である。
【図６】実施例の通信装置に係り、保持部、第１サイドカバー、上部カバー及び読み取りユニットの相対関係を示す要部拡大断面図である。
【図７】実施例の通信装置に係り、保持部及び第１サイドカバーを示す斜視図である。
【図８】実施例の通信装置に係り、保持部、第１サイドカバー及び上部カバーの分解斜視図である。
【図９】実施例の通信装置に係り、保持部を構成する保持部本体を示す斜視図である。
【図１０】実施例の通信装置に係り、保持部、第１サイドカバー、上部カバー及び読み取りユニットの相対関係を示す要部拡大断面図である。
【発明を実施するための形態】
【００２４】
以下、本発明を具体化した実施例を図面を参照しつつ説明する。
【００２５】
（実施例）
図１に示すように、実施例の通信装置１は、本発明の通信装置の具体的態様の一例である。この通信装置１は、通信処理の他、画像形成処理、画像読取処理等の複数の処理を実行可能なものであり、一般的には、複合機と呼ばれている。図１では、通信装置１の操作パネル９側を装置の前側と規定し、操作パネル９に向かって左を左側と規定して、前後、左右及び上下の各方向を表示する。そして、図２以降に示す各方向は、全て図１に示す各方向に対応させて表示する。以下、図１等に基づいて、通信装置１の具体的構成を説明する。
【００２６】
＜全体構成＞
図１〜図３に示すように、通信装置１は、通信装置本体２と、通信装置本体２の上方に設けられた読取ユニット３とを備えている。読取ユニット３は、読取ユニット本体４と、読取ユニット本体４の上方に設けられた開閉部５とからなる。通信装置本体２、読取ユニット本体４及び開閉部５はそれぞれ、図示しないフレーム部材を有する略箱状体である。
【００２７】
図２及び図４に示すように、読取ユニット本体４は、通信装置１の後面側に設けられた左右一対のヒンジ９により、通信装置本体２に連結されている。読取ユニット本体４は、両ヒンジ９により、通信装置１の後面側で通信装置１の幅方向、すなわち左右方向に延びる揺動軸芯Ｓ１周りに揺動可能となっている。図１〜図３及び図５（ａ）は、読取ユニット本体４が通信装置本体２の上面に当接した状態を示している。図１〜図３及び図５（ａ）に示す読取ユニット本体４の位置は、本発明の当接位置の一例である。読取ユニット本体４が当接位置にある場合、読取ユニット本体４の下面４Ｂは、図６及び図１０を参照して後述する上部カバー３００の突出部３１０に当接する。その一方、図５（ｂ）は、読取ユニット本体４が揺動軸芯Ｓ１周りに揺動し、通信装置本体２に対して上方に離間した状態を示している。図５（ｂ）に示す読取ユニット本体４の位置は、本発明の離間位置の一例である。
【００２８】
図２及び図４に示すように、開閉部５は、通信装置１の後面側に設けられた左右一対のヒンジ８により、読取ユニット本体４に連結されている。開閉部５は、両ヒンジ８により、通信装置１の後面側で左右方向に延びる揺動軸芯Ｓ２周りに揺動可能となっている。図１〜図３及び図５（ａ）は、開閉部５が通信装置本体２の上面を閉鎖した状態を示している。図示は省略するが、開閉部５が揺動軸芯Ｓ２周りに揺動し、読取ユニット本体４に対して上方に離間することにより、図４に示す載置面３０Ａを開放する。
【００２９】
図４に示すように、通信装置本体２には、制御部１０と、画像形成部２０と、通信部４０とが収容されている。読取ユニット本体４には、読取部３０及び操作パネル９が収容されている。開閉部５には、自動原稿搬送機構３５が収容されている。
【００３０】
図１及び図４に示すように、通信装置本体２の左側には、送受話器５０が設けられている。送受話器５０は、コード５１により、通信部４０と電気的に接続されている。
【００３１】
図１に示すように、操作パネル９は、読取ユニット本体４の前面側上部に露出する操作キーと表示画面とを有している。操作パネル９は、操作キーによりユーザからの入力を受け付けて制御部１０に伝達するとともに、制御部１０から伝達された情報を表示画面に表示する。
【００３２】
図４に示すように、画像形成部２０は、電子写真方式やインクジェット方式等の周知の構成である。画像形成部２０は、制御部１０に制御されて、用紙やＯＨＰシート等の被記録媒体に画像を形成する画像形成処理を実行する。
【００３３】
図１及び図４に示すように、通信装置本体２には、前面から内部に向かって略水平に凹設された排出空間２Ａが設けられている。排出空間２Ａには、画像形成部２０により画像が形成された被記録媒体が排出される。読取ユニット本体４の下面４Ｂは、排出空間２Ａの上側内壁面を区画している。排出空間２Ａに小さいサイズの被記録媒体が排出された場合には、読取ユニット本体４を図５（ｂ）に示す離間位置まで揺動させることにより、排出空間２Ａの上方が開放される。これにより、排出空間２Ａ内の被記録媒体を容易に取り出すことができる。
【００３４】
図４に示すように、読取部３０は、載置面３０Ａの下方に図示しない画像読取センサを有するフラットベット方式のものである。自動原稿搬送機構３５を使用しない場合には、開閉部５を上方に揺動させ、載置面３０Ａを開放した状態で、ユーザが載置面３０Ａに原稿を載置する。そうすると、読取部３０は、制御部１０に制御されて、載置面３０Ａに載置された原稿に対して画像読取センサを相対移動させて、その原稿の画像を単発的に読み取る。
【００３５】
その一方、自動原稿搬送機構３５を使用する場合には、読取部３０は、制御部１０に制御されて、所定の読み取り位置に画像読取センサを移動させる。そして、開閉部５を下方に揺動させ、載置面３０Ａを閉鎖した状態で、ユーザが自動原稿搬送機構３５に複数枚の原稿をセットする。そうすると、自動原稿搬送機構３５が制御部１０に制御されて、複数枚の原稿を１枚ずつ搬送し、読み取り位置にある画像読取センサの上方を順次通過させる。そして、読取部３０は、制御部１０に制御されて、画像読取センサの上方を順次通過する複数の原稿の画像を連続的に読み取る。
【００３６】
通信部４０は、電話回線やインターネット回線等により接続された他の通信機器との間で、情報の送受信を行う周知の構成である。ユーザは、通信部４０に接続された送受話器５０を使用することにより、他の通信機器を利用する別のユーザと通話できる。
【００３７】
通信装置本体２は、図１、図２及び図６〜図８に示すように、通信装置本体２の左側壁を構成する第１サイドカバー２１０と、図３に示すように、第１サイドカバー２１０と対向し、通信装置本体２の右側壁を構成する第２サイドカバー２２０と、図６及び図８に示すように、通信装置本体２の上面を構成する上部カバー３００と、図２に示すように、通信装置本体２の後面を構成する後面カバー４００とを備えている。
【００３８】
第１サイドカバー２１０、第２サイドカバー２２０、上部カバー３００及び後面カバー４００は、熱可塑性樹脂を射出成形してなる略平板状部材である。通信装置本体２内には、制御部１０、画像形成部２０及び通信部４０を支持する図示しないフレーム部材が設けられており、そのフレーム部材に外側から、第１サイドカバー２１０、第２サイドカバー２２０、上部カバー３００及び後面カバー４００が固定されている。図６に示すように、上部カバー３００の左端縁は第１サイドカバー２１０の上端縁と連結されている。図示は省略するが、上部カバー３００の右端縁は、第２サイドカバー２２０の上端縁と連結され、上部カバー３００の後端縁は、後面カバー４００の上端縁と連結されている。図８に示すように、上部カバー３００は、補強リブや厚肉部が形成されることにより、第１サイドカバー２１０より剛性が高くされている。
【００３９】
図１及び図２に示すように、第１サイドカバー２１０の後端側上部には、遮蔽部２１８が形成されている。図５（ａ）に示すように、遮蔽部２１８は、側面視した場合、後方に突出しながら先細る楔形状とされている。遮蔽部２１８の上面は、上部カバー３００の上面３００Ａと連続して後方に水平に延びている。遮蔽部２１８の後端縁は、揺動軸芯Ｓ１の上方に位置している。読取ユニット本体４の下面４Ｂの後端縁も、揺動軸芯Ｓ１の上方に位置している。
【００４０】
図３に示すように、第２サイドカバー２２０の後端側上部にも、後方に突出する遮蔽部２２８が形成されている。図２に示すように、後面カバー４００の後端側上部にも、後方に突出する遮蔽部４０８が形成されている。図５（ａ）に示すように、側面視した場合、遮蔽部２２８、４０８は、遮蔽部２１８と同一形状とされている。この場合において、読取ユニット本体４の下面４Ｂの後端縁と、遮蔽部２１８、２２８、４０８の後端縁との隙間Ｗ０は、異物や指の挟みこみが生じ難い程度に狭くされている。
【００４１】
そして、読取ユニット本体４を図５（ｂ）に示す離間位置まで揺動させた場合でも、読取ユニット本体４の下面４Ｂの後端縁と、遮蔽部２１８、２２８、４０８の後端縁との隙間Ｗ１は、隙間Ｗ０とほとんど変わらない。図５（ｃ）に比較例として、仮に、遮蔽部２１８、２２８、４０８を無くした場合を示す。この場合、読取ユニット本体４の下面４Ｂの後端縁と、通信装置本体２の後端縁との隙間Ｗ２は、隙間Ｗ０に対して大幅に拡がるので、隙間Ｗ２に異物や指の挟みこみが生じ易くなってしまう。このように、実施例の通信装置１では、後方に突出する遮蔽部２１８、２２８、４０８により、読取ユニット本体４が離間位置に揺動しても、読取ユニット本体４の下面４Ｂの後端縁と、通信装置本体２の後端縁面との間に、異物や指の挟みこみが生じ難くなっている。
【００４２】
＜保持部＞
図１、図２、図６及び図７に示すように、通信装置１は、送受話器５０を保持する保持部１００を備えている。保持部１００は、第１サイドカバー２１０に取り付けられて、通信装置１の左側に突出している。保持部１００の第１サイドカバー２１０に対する取り付け構造については、後で詳しく説明する。図６及び図８に示すように、保持部１００は、保持部本体１１０と、保持部本体１１０の上方に組み付けられる保持部蓋体１２０とからなる。
【００４３】
図６、図８及び図９に示すように、保持部本体１１０は、熱可塑性樹脂を射出成形してなる略箱状部材である。保持部本体１１０の上面側は、開放されており、その内部には、補強リブが格子状に形成されている。図２及び図６に示すように、保持部本体１１０の略水平な下面は、保持部１００の下面１００Ｂとされている。下面１００Ｂには、下方に向けて畝状に凸設された複数本の滑り止め１１９が形成されている。
【００４４】
本実施例では、保持部１００の下面１００Ｂは、通信装置１を両手で持ち上げる際に一方の手を掛ける第１サイドカバー２１０側の手掛け部を兼ねている。そして、滑り止め１１９は、保持部１００の下面１００Ｂを第１サイドカバー２１０側の手掛け部として利用する際、ユーザの手が滑ることを防止する。図１に示すように、通信装置本体２の底面から下面１００Ｂまでの高さをＨ１とする。一方、図３に示すように、第２サイドカバー２２０には、通信装置１を両手で持ち上げる際に他方の手を掛ける手掛け部２２１が形成されている。手掛け部２２１の高さＨ２は、保持部１００の下面１００Ｂの高さＨ１と略等しくされている。
【００４５】
図６〜図８に示すように、保持部蓋体１２０は、熱可塑性樹脂を射出成形してなる略蓋状部材である。保持部蓋体１２０の上面は、送受話器５０の形状に沿う凹凸を有しており、保持部１００の上面１００Ａとされている。送受話器５０を上面１００Ａに載置することにより、送受話器５０が保持部１００に保持される。
【００４６】
＜保持部の第１サイドカバーに対する取り付け構造＞
図６及び図９に示すように、保持部本体１１０には、右方に向かって突出する挿入部１１１が形成されている。図９に示すように、挿入部１１１の右側壁１１１Ｒは、側面視した場合、前後方向に細長い略矩形状とされている。
【００４７】
挿入部１１１には、前後方向から右側壁１１１Ｒを挟んで、右方に突出する一対の鍵爪状突起１１２が形成されている。
【００４８】
右側壁１１１Ｒの前方と後方とには、２つのネジ穴１５１、１５２が左方（保持部１００の送受話機５０側）に凹むように形成されている。図１０に示すように、ネジ穴１５１、１５２の上下方向の高さは略等しくされている。ネジ穴１５１、１５２は、本発明の被締結部の一例である。図６及び図９に示すように、後方のネジ穴１５２の周囲には、位置決めボス１６０が形成されている。位置決めボス１６０は、ネジ穴１５２と同軸で、右方（通信装置本体２側）に向けて円筒状に突出している。また、前方のネジ穴１５１よりさらに前方には、位置決めボス１６１が形成されている。位置決めボス１６１も、位置決めボス１６０と同様に、右方（通信装置本体２側）に向けて円筒状に突出している。なお、位置決めボス１６０、１６１は、本発明の位置決め部の一例である。ネジ穴１５１、１５２及び位置決めボス１６０、１６１により、本発明の結合部が構成されている。
【００４９】
図６、図９及び図１０に示すように、挿入部１１１内には、補強リブが格子状に形成されている。補強リブの上端縁には前後方向に並ぶ２つの伝達部１３１、１３２が形成されている。伝達部１３１、１３２はそれぞれ、上方に向けて突出する凸片形状とされている。
【００５０】
図９に示すように、ネジ穴１５２の斜め下方には、配線ガイド穴１１３が形成されている。配線ガイド穴１１３は、右方に向けて角筒状に突出している。配線ガイド穴１１３には、保持部１００に送受話器５０が載置されたことを検知するスイッチ１０９の電気配線１０９Ａが挿通されている。
【００５１】
図８に示すように、保持部蓋体１２０には、右方に向かって略板状に突出する板状挿入部１２１が形成されている。平面視した場合、板状挿入部１２１は、保持部本体１１０の挿入部１１１と同一形状とされている。板状挿入部１２１の右側端縁には、前後方向に並ぶ２つの貫通孔１９１、１９２が形成されている。図１０に示すように、貫通孔１９１、１９２はそれぞれ、挿入部１１１の伝達部１３１、１３２の上方に位置している。
【００５２】
図１、図２、図６〜図８及び図１０に示すように、第１サイドカバー２１０には、上下方向に重ねた状態の挿入部１１１及び板状挿入部１２１に対応する形状とされて右方（通信装置本体２内側）に凹む凹部２１１が形成されている。図７に示すように、第１サイドカバー２１０には、前後方向から凹部２１１を挟むように貫設された一対の角穴２１２が形成されている。
【００５３】
図６及び図７に示すように、凹部２１１の内壁２１１Ｌの前方と後方とには、３つの貫通穴２５１、２５２、２５３が貫設されている。図１０に示すように、貫通穴２５１、２５２、２５３の上下方向の高さは略等しくされている。図６に示すように、後方の貫通穴２５２の内径は、保持部本体１１０の位置決めボス１６０と隙間なく嵌合する大きさとされている。図７及び図１０に示すように、最前方の貫通穴２５３は、前後方向に扁平な小判型穴であり、保持部本体１１０の位置決めボス１６１と高さ方向で隙間なく嵌合する大きさとされている。貫通穴２５１、２５２、２５３により、本発明の被結合部が構成されている。図７に示すように、内壁２１１Ｌにおいて貫通穴２５２の斜め下方には、配線ガイド穴１１３を挿通させる角穴２１３が形成されている。
【００５４】
図１、図２、図６及び図７に示すように、第１サイドカバー２１０において、凹部２１１の下方には、左方に台形状に突出する受け部２１９が形成されている。受け部２１９の上面と、凹部２１１の下面とは同一平面とされている。
【００５５】
図７に示すように、第１サイドカバー２１０が通信装置本体２の図示しないフレーム部材に固定される前に、保持部１００の挿入部１１１及び板状挿入部１２１が凹部２１１に挿入される。そうすると、図６に示すように、上下方向及び左右方向で、凹部２１１と挿入部１１１及び板状挿入部１２１との間に小さな隙間が確保された状態で、挿入部１１１の右側壁１１１Ｒが凹部２１１の内壁２１１Ｌに当て止まる。この際、位置決めボス１６０が後方の貫通穴２５２に隙間なく嵌合することにより、保持部１００が凹部２１１に対して位置決めされる。また、位置決めボス１６１と最前方の貫通穴２５３（小判型穴）との間では、前後方向に多少の相対移動が許容される。このため、位置決めボス１６０、１６１による保持部１００の第１サイドカバー２１０への位置決め作業が行ない易くなっている。また、図７に示すように、鍵爪状突起１１２が角穴２１２に引っ掛かり、挿入部１１１及び板状挿入部１２１は凹部２１１から抜けなくなる。また、配線ガイド穴１１３は、角穴２１３に隙間を有して挿入される。これにより、保持部１００から電気配線１０９Ａを通信装置本体２内に引き込むことができる。
【００５６】
そして、第１サイドカバー２１０の内側から、２個のネジ９９をそれぞれ貫通穴２５１、２５２を介して、ネジ穴１５１、１５２に螺合させることにより、保持部１００の結合部が第１サイドカバー２１０の被結合部に結合される。ネジ９９は、本発明の締結手段の一例である。この状態では、図１０に示すように、位置決めボス１６０、１６１とネジ穴１５１、１５２とは、第１サイドカバー２１０の左側壁面に沿って保持部１００の長手方向である前後方向に延びる直線Ｌ１上に位置している。また、図６に示すように、受け部２１９は、挿入部１１１の下面に対して小さな隙間を有して対向している。
【００５７】
図７に示すように、第１サイドカバー２１０の上端縁には、前後方向に並ぶ２つの貫通孔２３１、２３２が形成されている。図１０に示すように、結合部が被結合部に結合された状態において、貫通孔２３１、２３２はそれぞれ、貫通孔１９１、１９２及び伝達部１３１、１３２の上方に位置している。また、図６に示すように、伝達部１３１、１３２は、結合部（ネジ穴１５１、１５２及び位置決めボス１６０、１６１）に対して幅方向の外側、すなわち、結合部より左側に位置している。
【００５８】
図８に示すように、上部カバー３００の左端縁の下面には、前後方向に並ぶ２つの被伝達部３３１、３３２が形成されている。被伝達部３３１、３３２は、下方に向かって延在するリブである。
【００５９】
図６及び図１０に示すように、上部カバー３００の左端縁が第１サイドカバー２１０の上端縁に連結されると、被伝達部３３１、３３２は、上方から貫通孔２３１、２３２及び貫通孔１９１、１９２に挿入され、被伝達部３３１、３３２の下端が保持部本体１１０の伝達部１３１、１３２に当接した状態となる。伝達部１３１、１３２及び被伝達部３３１、３３２により、保持部１００の下側から上向きに作用する荷重Ｆ１（図６参照）を上部カバー３００に伝達する荷重伝達部８０が構成されている。
【００６０】
図８に示すように、上部カバー３００の上面３００Ａにおける左端縁側には、突出部３１０が形成されている。突出部３１０は、上方に向けて畝状に凸設されている。読取ユニット本体４が図５（ａ）に示す当接位置にある場合、図６及び図１０に示すように、突出部３１０は、読取ユニット本体４の下面４Ｂに当接した状態となる。
【００６１】
＜作用効果＞
上記構成である実施例の通信装置１では、保持部１００の下面１００Ｂが第１サイドカバー２１０側の手掛け部を兼ねており、第２サイドカバー２２０側の手掛け部２２１と対をなしている。このため、通信装置１を両手で持ちあげようとする際、ユーザが保持部１００の下面１００Ｂと、手掛け部２２１に手を掛けると、図６に示すように、保持部１００の下面１００Ｂには、上方に向かって荷重Ｆ１が作用する。
【００６２】
ここで、この通信装置１は、伝達部１３１、１３２と被伝達部３３１、３３２とにより構成される荷重伝達部８０を備えている。このため、上向きの荷重Ｆ１が作用するのに伴って保持部１００がネジ穴１５１、１５２、位置決めボス１６０、１６１及び貫通穴２５１、２５２、２５３を中心として上方に回転するように変位しようとしても、伝達部１３１、１３２が被伝達部３３１、３３２に当て止まるので、上向きの荷重Ｆ１が被伝達部３３１、３３２を介して上部カバー３００に伝達される。
【００６３】
その一方、保持部１００と凹部２１１との間には、ネジ穴１５１、１５２、位置決めボス１６０、１６１及び貫通穴２５１、２５２、２５３や、伝達部１３１、１３２及び被伝達部３３１、３３２以外には上向きの荷重Ｆ１の伝達経路は設けられていない。このため、上向きの荷重Ｆ１は、第１サイドカバー２１０に伝達され難い。
【００６４】
そして、第１サイドカバー２１０より剛性の高い上部カバー３００は、伝達された荷重Ｆ１を確実に支持することができる。このため、上向きの荷重Ｆ１が作用するのに伴って保持部１００がネジ穴１５１、１５２及び位置決めボス１６０、１６１等を中心として上方に回転するように変位することを確実に抑制できる。この結果、第１サイドカバー２１０の凹部２１１、保持部１００の挿入部１１１及びそれらの近傍が変形し難くなり、その結果、第１サイドカバー２１０又は保持部１００の破損を確実に防止できる。
【００６５】
したがって、実施例の通信装置１は、送受話器５０を保持する保持部１００の取り付け構造に関し、耐久性の向上を確実に実現できる。また、保持部１００の下面１００Ｂを手掛け部として安全に使用できるので、ユーザが通信装置１の移動作業を行い易くなる。
【００６６】
特に、被伝達部３３１、３３２が伝達部１３１、１３２に向けて下方に延在するリブとされ、第１サイドカバー２１０に被伝達部３３１、３３２を挿通させる貫通孔２３１、２３２が形成されている構成により、保持部１００に作用する上向きの荷重Ｆ１は、上部カバー３００に確実に伝達される一方、第１サイドカバー２１０に一層伝達され難くなっている。
【００６７】
また、仮に、第１サイドカバー２１０の側壁面に沿って保持部１００の長手方向に延びる直線Ｌ１上に位置決めボス１６０、１６１とネジ穴１５１、１５２とが設けられていない場合、具体的には、例えば、ネジ穴１５２と同軸の位置決めボス１６０の代わりに、ネジ穴１５１、１５２に対して上下方向にずれた位置決め部を採用する場合、保持部１００の下面１００Ｂに手を掛けて持ち上げる際に、その位置決め部と凹部２１１との間でこすれやガタツキが生じ易く、その結果、異音が発生するおそれがある。この点、本実施例では、図１０に示すように、位置決めボス１６０、１６１とネジ穴１５１、１５２とが直線Ｌ１上に設けられていることにより、ネジ穴１５１、１５２と位置決めボス１６０、１６１との間でこすれやガタツキが生じ難くなり、その結果、異音が発生し難くなる。
【００６８】
さらに、この通信装置１は、読取ユニット３を備えているので、装置全体の重量が増加している。このため、通信装置１を持ち上げようとする際、ユーザが保持部１００の下面１００Ｂに手を掛けると、保持部１００の下面１００Ｂから上方に向かって大きな荷重Ｆ１が作用する。しかしながら、上記構成である通信装置１では、保持部１００に作用する上向きの大きな荷重Ｆ１は、伝達部１３１、１３２及び被伝達部３３１、３３２により、上部カバー３００に伝達され、さらに、突出部３１０を介して、読取ユニット本体４の下面４Ｂに伝達される。読取ユニット本体４は、図示しない内部フレームを有して読取部３０を収容しているため、高い剛性を有しており、突出部３１０を介して伝達された荷重Ｆ１を上部カバー３００とともに確実に支持する。このため、上向きの荷重Ｆ１が作用するのに伴って保持部１００がネジ穴１５１、１５２及び位置決めボス１６０、１６１等を中心として上方に回転するように変位することを確実に抑制できる。この結果、この通信装置１は、読取ユニット３により装置全体の重量が増加していても、第１サイドカバー２１０又は保持部１００の破損を防止でき、その結果、装置全体としての耐久性の向上を確実に実現できる。
【００６９】
また、図１及び図３に示すように、この通信装置１では、ユーザが両手で通信装置１を持ち上げる際、第１サイドカバー２１０側の手掛け部となる保持部１００の下面１００Ｂの高さＨ１と、第２サイドカバー２２０側の手掛け部２２１の高さＨ２とが略等しいことで、作業が行い易い。また、第１サイドカバー２１０に、保持部１００の下面１００Ｂとは別に手掛け部を形成する必要がないので、保持部１００を設ける位置の自由度が増す。
【００７０】
さらに、図６に示すように、この通信装置１では、ユーザが送受話器５０を保持部１００に置く場合等において、誤って保持部１００を下方に押してしまうと、保持部１００の上面１００Ａから下方に向かって荷重Ｆ２が作用する。この場合、保持部１００に作用する下向きの荷重Ｆ２に伴って保持部１００がネジ穴１５１、１５２及び位置決めボス１６０、１６１等を中心として下方に回転するように変位しようとする。この場合でも、挿入部１１１の下面が受け部１１９の上面に当て止まって、下向きの荷重Ｆ２が受け部１１９によって支持される。このため、下向きの荷重Ｆ２が作用するのに伴って保持部１００がネジ穴１５１、１５２及び位置決めボス１６０、１６１等を中心として下方に回転するように変位することを抑制できる。この結果、第１サイドカバー２１０の凹部２１１、保持部１００の挿入部１１１及びそれらの近傍が変形し難くなり、第１サイドカバー２１０又は保持部１００の破損を防止できる。
【００７１】
以上において、本発明を実施例に即して説明したが、本発明は上記実施例に制限されるものではなく、その趣旨を逸脱しない範囲で適宜変更して適用できることはいうまでもない。
【００７２】
例えば、伝達部１３１、１３２は平面であってもよい。また、伝達部１３１、１３２を上方に向かって長く延びるリブとし、被伝達部３３１、３３２を下方に短く突出する凸片又は平面としてもよい。
【００７３】
また、ネジ穴１５２と同軸の位置決めボス１６０を直線Ｌ１上の別の位置に移設した場合でも、結合部と被結合部との間でこすれやガタツキが生じ難くなり、その結果、異音が発生し難くなる。
【００７４】
滑り止め１１９の代わりに、凹凸や、多数の突起を形成してもよい。また、例えば、ゴム板等の滑り難い素材を張り付けてもよい。
【産業上の利用可能性】
【００７５】
本発明は通信装置や、通信装置を備える複合機等に利用可能である。
【符号の説明】
【００７６】
１…通信装置、２…通信装置本体、３…読取ユニット
４Ｂ…読取ユニットの下面（読取ユニット本体の下面）
３０…読取部、４０…通信部、５０…送受話器
１００…保持部、１００Ａ…保持部の上面、１００Ｂ…保持部の下面
８０…荷重伝達部、１３１、１３２…伝達部、３３１、３３２…被伝達部
１５１、１５２、１６０、１６１…結合部（１５１、１５２…被締結部（ネジ穴）、１６０、１６１…位置決め部（位置決めボス））
９９…締結手段（ネジ）、１１９…滑り止め
２１０…第１サイドカバー、２１９…受け部
２３１、２３２…貫通孔、２５１、２５２、２５３…被結合部（貫通穴）
２２０…第２サイドカバー、２２１…手掛け部
３００…上部カバー、３００Ａ…上部カバーの上面、３１０…突出部
Ｆ１…保持部の下面から上方に向かって作用する荷重
Ｆ２…保持部の上面から下方に向かって作用する荷重
Ｌ１…第１サイドカバーの側壁面に沿って保持部の長手方向に延びる直線
【図１】
0005472148.tif 000002
【図２】
0005472148.tif 000003
【図３】
0005472148.tif 000004
【図４】
0005472148.tif 000005
【図５】
0005472148.tif 000006
【図６】
0005472148.tif 000007
【図７】
0005472148.tif 000008
【図８】
0005472148.tif 000009
【図９】
0005472148.tif 000010
【図１０】
0005472148.tif 000011